(57)【要約】【課題】運用保守対象の装置が独自にセキュリティ機能を有するか否かにかかわらず、誤って設定変更してしまったり、試験操作をさせてしまったりすることのない運用保守管理装置を提供すること。【解決手段】通信ネットワークに繋がりＩＰアドレスを有し機能ごとにＵＲＬを割り付けられた機器の運用保守の管理を行う運用保守管理装置であって、部門別または個人別に前記ＵＲＬのアクセス権限を管理する認証手段と、作業予定日時、運用保守対象の機器、機能、および、部門あるいは担当者情報を含む作業計画データを入力する手段と、前記作業計画データの機器、機能情報をもとに対応するＵＲＬを抽出する手段と、を備え、前記認証手段は、前記予定日時に到達したときに、前記部門あるいは担当者の認証を実行して、認証された場合は、前記ＵＲＬへのアクセスを許可することを特徴とする。【選択図】図２
2008108022.tif 000002
【特許請求の範囲】
【請求項１】
通信ネットワークに繋がりＩＰアドレスを有し機能ごとにＵＲＬを割り付けられた機器の運用保守の管理を行う運用保守管理装置であって、
部門別または個人別に前記ＵＲＬのアクセス権限を管理する認証手段と、
作業予定日時、運用保守対象の機器、機能、および、部門あるいは担当者情報を含む作業計画データを入力する手段と、
前記作業計画データの機器、機能情報をもとに対応するＵＲＬを抽出する手段と、を備え、
前記認証手段は、前記予定日時に到達したときに、前記部門あるいは担当者の認証を実行して、認証された場合は、前記ＵＲＬへのアクセスを許可することを特徴とする運用保守管理装置。
【請求項２】
前記認証手段は、予め登録された部門または個人の端末のＭＡＣアドレスによって認証を行うことを特徴とする請求項１記載の運用保守管理装置。
【請求項３】
機能ごとにＵＲＬを割り付けることに替えて、部門ごとあるいは個人ごとにＵＲＬを割り付けることを特徴とする請求項１記載の運用保守管理装置。
【請求項４】
前記ＵＲＬのＷＥＢページに表示されるアイコンと運用保守機能を実行する一または二以上のコマンドとを関連付けて保存する手段と、
前記アイコンに対応して設定値を入力する手段と、
前記アイコンが選択されたときに、該アイコンに関連付けられたコマンドと前記入力された設定値データを該ＵＲＬに対応する機器へ送信することを特徴とする請求項１ないし３のいずれか一に記載の運用保守管理装置。
【請求項５】
シリアルインタフェースを介してコマンドにより機器の運用保守機能を実行する運用保守管理装置であって、
部門別または個人別に前記コマンドの受付を許可する認証手段と、
作業予定日時、運用保守対象の機器、機能、および、部門あるいは担当者情報を含む作業計画データを入力する手段と、を備え、
前記認証手段は、前記予定日時に到達したときに、前記部門あるいは担当者の認証を実行して、認証された場合は、前記コマンドを受け付けることを特徴とする運用保守管理装置。
【発明の詳細な説明】
【技術分野】
【０００１】
本発明は、主に電力系統設備の運用保守技術に係り、たとえば保護継電装置の整定値の変更あるいは監視制御装置のプログラムの修正や試験などの作業計画、実施許可等の管理を効率よく行うことのできる運用保守管理装置に関する。
【背景技術】
【０００２】
従来、監視制御用情報伝送装置や保護制御装置の運用保守は動作状態確認、整定値変更、試験、診断、プログラム修正などが遠方から行える運用保守方式が提案されている。
【０００３】
たとえば、特許文献１では、サーバにプログラムを保存しておき、このサーバと顧客のディジタル保護継電器とをネットワークで接続し、プログラムデータの更新要求時には、サーバにて所望データを検索し、保護継電器に送出してデータ更新を行うという方法が記載されている。
【０００４】
また、特許文献２では、整定監視装置で保護継電器の整定データを一元管理するという技術思想が開示されている。
【特許文献１】特開２００５−６３７０号公報
【特許文献２】特開２００４−７２８４０号公報
【発明の開示】
【発明が解決しようとする課題】
【０００５】
しかしながら、これらの運用保守方式は、その項目ごとにオペレーション箇所が異なるが、どこからこれらの装置にアクセスしても全ての項目のオペレーションが可能なので、誤って設定を変更してしまったり、不用意に試験動作をさせてしまったりするおそれがある。
【０００６】
本発明は、上述のかかる事情に鑑みてなされたものであり、運用保守対象の装置が独自にセキュリティ機能を有するか否かにかかわらず、誤って設定変更してしまったり、試験操作をさせてしまったりすることのない運用保守管理装置を提供することを目的とする。
【課題を解決するための手段】
【０００７】
上記課題を解決するため、本発明に係る運用保守管理装置は、通信ネットワークに繋がりＩＰアドレスを有し機能ごとにＵＲＬを割り付けられた機器の運用保守の管理を行う運用保守管理装置であって、部門別または個人別に前記ＵＲＬのアクセス権限を管理する認証手段と、作業予定日時、運用保守対象の機器、機能、および、部門あるいは担当者情報を含む作業計画データを入力する手段と、前記作業計画データの機器、機能情報をもとに対応するＵＲＬを抽出する手段と、を備え、前記認証手段は、前記予定日時に到達したときに、前記部門あるいは担当者の認証を実行して、認証ＯＫの場合は、前記ＵＲＬへのアクセスを許可することを特徴とする。
【０００８】
本発明では、運用保守対象の機器において任意に分割した機能ごとにＵＲＬを割付け、そのＵＲＬにアクセスして、たとえば試験用のアイコンをクリックすることによって、そのアイコンに対応するコマンドを機器に送信して実行させる。このとき、予め作業計画データを入力しておいて、作業予定日になると予め登録された者のみそのＵＲＬへのアクセス権限が付与されるようにする。
【０００９】
このとき、認証手段は、ログインＩＤやパスワードに替えて、あるいはこれらと共に予め登録された部門または個人の端末のＭＡＣアドレスを用いて認証を行うことによって、専用端末からのアクセスのみを許可してセキュリティを強化することができる。
【００１０】
また、機能ごとにＵＲＬを割り付けることに替えて、部門ごとあるいは個人ごとにＵＲＬを割り付けるようにしてもよい。
【００１１】
また、本発明に係る運用保守管理装置は、ＵＲＬのＷＥＢページに表示されるアイコンと運用保守機能を実行する一または二以上のコマンドとを関連付けて保存する手段と、前記アイコンに対応して設定値を入力する手段と、前記アイコンが選択されたときに、該アイコンに関連付けられたコマンドと前記入力された設定値データを該ＵＲＬに対応する機器へ送信することを特徴とする。
【００１２】
本発明では、機能を実行するアイコンとコマンドを対応付けて保存しておいて、設定値（パラメータ）も操作者が認識しやすいような表示形式で入力するようにする。そして、アイコンが選択されたときに、それに対応するコマンド群と機器用に変換されたパラメータを当該機器へ送信する。
【００１３】
また、本発明に係る運用保守管理装置は、シリアルインタフェースを介して入力されるコマンドにより機器の運用保守機能を実行する運用保守管理装置であって、部門別または個人別に前記コマンドの受付を許可する認証手段と、作業予定日時、運用保守対象の機器、機能、および、部門あるいは担当者情報を含む作業計画データを入力する手段と、を備え、前記認証手段は、前記予定日時に到達したときに、前記部門あるいは担当者の認証を実行して、認証ＯＫの場合は、前記コマンドを受け付けることを特徴とする。
本発明は、ＵＲＬの替わりにコマンドによって運用保守を行うものである。
【発明の効果】
【００１４】
本発明によれば、セキュリティ機能を有する運用保守管理装置を介して各部門等の端末から運用保守を行うので、運用保守対象の装置が独自にセキュリティ機能を有するか否かにかかわらず、誤って設定変更してしまったり、試験操作をさせてしまったりすることを防止することができる。また、各機器の運用保守機能ごと、部門ごと、あるいは担当者ごとにＵＲＬを割り付けておくことによって、各ＵＲＬへのアクセス権限管理によってセキュリティを担保でき、また、ＷＥＢページのアイコン等に関連付けて、機器へのコマンドを保存しておいて、当該アイコンを実行されたときに、パラメータと一緒にコマンドを機器へ送信することによって、運用保守時の負担およびミスが軽減する。
【発明を実施するための最良の形態】
【００１５】
以下、本発明による第１の実施の形態を説明する。
まず、図１を用いて本実施の形態による運用保守管理装置１を用いた運用保守方法の概要を説明する。
【００１６】
ここで、運用保守管理装置１は、各運用保守担当部門の端末やメーカの端末２a〜２ｎと通信ネットワーク４を介して接続している。特にメーカ端末２ｎとは、物理的なスイッチ手段１４を介して接続が入／切可能になっている。なお、通信ネットワーク４を介さず端末６と直接接続するようにしてもよい。
【００１７】
また、一方、運用保守管理装置１からは、ルーティング制御やアクセス制御を行うゲート手段１５を通して専用回線５に接続し、この専用回線５を解して、制御所６１、給電所６２、変電所７０、その他送電線等の電気データ収集装置９０などとデータの授受を行っている。
【００１８】
端末２ａ〜２ｎとは、次の手順で作業計画データの受け渡しや運用保守作業を実行する。以下、端末２ａに代表させて手順を説明する。
（ステップＳ１）端末２ａから運用保守管理装置１へ停電作業要求書データを送信する。
（ステップＳ２）運用保守管理装置１から端末２ａへ決定の連絡を返信する。
（ステップＳ３）端末２ａから運用保守管理装置１へ作業確認書データを送信する。
（ステップＳ４）運用保守管理装置１から端末２ａへ許可の連絡を返信する。
（ステップＳ５）作業日時に端末２ａから作業指示を送信する。このとき運用保守管理装置１は、認証がＯＫであれば、ゲート手段１５を開き、端末２ａの作業指示を専用回線５を通して作業対象の機器へ送る。
【００１９】
上記の手順概要によって、運用保守を実施する。なお、必要によりステップＳ３、Ｓ４を省略してもよい。
【００２０】
図２は、第１の実施の形態による運用保守管理装置１および通信ネットワークを介して繋がる端末、機器のブロック図である。ここで、運用保守管理装置１は、通信ネットワーク４を介して端末２ａ〜２ｎとデータ伝送を行うための送受信部１１、１２を有している。なお送受信部１１は、運用保守部門の端末との通信を行うもので送受信部１２はメーカ端末と通信を行うものである。そして、メーカ端末からの送受信データはスイッチ手段１４によって物理的に接続、切り離しが可能になっている。
【００２１】
一方、運用保守管理装置１は、遠方の機器３ａ〜３ｎと専用回線５を介して通信を行うための送受信部１３と送受信の許可制御やルーティング処理を行うゲート手段１５を有している。ゲート手段１５と送受信部１３、あるいは、スイッチ手段１４と送受信部１２は一体として形成してもよい。
【００２２】
運用保守管理装置１は、また、データを処理する処理部２０とデータを記憶する記憶部４０を有している。
【００２３】
処理部２０は、端末２ａ〜２ｎから送られてきたデータを処理する入出力処理手段２１、作業計画データを入力する作業計画入力手段２２、運用保守指令（作業指令）を入力する運用保守指令入力手段２３、端末認証を実行する認証手段２４、認証がＯＫとなった場合は入力した運用保守指令を出力する運用保守指令出力手段２５を備えている。
【００２４】
次に図３〜図５を用いて上記の構成を有する運用保守管理装置１の動作を説明する。
図３は、保護継電器の運用保守を例に挙げ、作業種別ごとに運用保守部門の端末から運用保守管理装置１へ作業計画データと作業指令を送信するときの手順を示す図である。
【００２５】
たとえば、ＩＰアドレス１を有する端末２ａから整定変更を行う場合、まず、機器を指定して○月○日整定変更という作業計画データを送信する。このデータは、通信ネットワーク４を通して運用保守管理装置１の送受信部１１に受信され、処理部２０の入出力処理手段２１で受信処理され、作業計画入力手段２２によって記憶部４０の作業計画データファイル４１に保存される
【００２６】
図４は、作業計画データファイル４１のデータ構成例を示す図である。担当部門あるいは担当者のＩＤ、パスワードのほか、端末ＩＤ、部署名、名前、キャリア、作業日時などが保存可能になっている。
【００２７】
また、図５に保護継電器の運用保守のＷＥＢ画面例を示す。メニュー、状態表示、整定などの作業種別ごとにＵＲＬが割り付けられている。また機器は固有のＩＰアドレスを有しており、たとえば、保護継電器Ａは、ＩＰアドレスＡを有しているとする。
【００２８】
図５の例では、メニューアイコンをクリックすると、ＵＲＬ１に飛び、メニュー一覧が表示され、されに試験などの詳細メニューを選択するとその下の詳細な試験項目が表示されるように構成されている。また、たとえば、整定値の変更の場合はＵＲＬ３にアクセスしてその画面を通して入力した値が整定値として設定されるようになっている。
【００２９】
上記の整定変更の例で言えば、作業計画データの端末ＩＤ欄にＩＰアドレス１が格納され、必要により、部署、名前などの主体情報や作業者のキャリアなどの情報をコードで格納する。そして、整定作業に対応するＵＲＬ１，ＵＲＬ２，ＵＲＬ３を許可ＵＲＬ欄に保存する。
【００３０】
以上の一連の作業データを保存後、作業計画入力手段２２は、作業日を参照して、同一機器に対して重複の作業計画が無いことを判定した後、端末２ａに決定の返信を行うと共に、開放されるＵＲＬ１，２，３の通知を行う。
【００３１】
作業日に端末２ａからアクセスがなされると、その指令は、運用保守管理装置１の運用保守指令入力手段２３によって受信され、認証手段２４によって、アクセスの日時、送信端末のＩＰアドレスあるいは部門ＩＤ、パスワード等によって認証処理が実行される。そして、認証ＯＫの場合は、ゲート手段１５に対して、作業計画データの許可ＵＲＬを通知し、そのＵＲＬへのアクセスを可能にする。
【００３２】
以上の手順によって、整定作業の作業者は、目的の保護継電器の整定作業を行うことができる。
【００３３】
障害対応、定期点検などの作業も同様に作業計画データを運用保守管理装置１へ送信することによってＵＲＬが開放され、作業当日にそのＵＲＬにアクセスすることによって作業を遂行することができる。
【００３４】
メーカの調査やメーカのプログラム更新についても同様な処理によって実現することができるが、このように運用保守会社が異なる場合は、物理的なスイッチを設けてそのスイッチを閉状態にしない限り運用保守管理装置１へアクセスできないようにしておくのがセキュリティ上好ましい。
【００３５】
以上、本実施の形態によれば、機器の運用保守機能ごとにＵＲＬを割付け、運用保守部門は、端末を通してそのＵＲＬへアクセスして作業を行うようにし、アクセス可能な日時を予め作業計画データによって設定しておき、その日時にアクセスがあった場合には、端末認証等によって認証ＯＫの場合は当該ＵＲＬへのルーティングを可能にするため、他からの不正アクセスを効果的に防止できる。
【００３６】
次に、本発明の第２の実施の形態を説明する。第１の実施の形態は、機器３ａ〜３ｎが固有のＩＰアドレスを有し、ＵＲＬが割り付けられているというものであるが、本実施の形態は、図５に記載されているＵＲＬは、運用保守管理装置１が有し、機器３ａ〜３ｎは、コマンドにより整定等の機能が実行されるものである。
【００３７】
図６は、本実施の形態による運用保守管理装置１の機能ブロック図である。図２との違いは、ＷＥＢ画面から入力されたデータを機器３ａ〜３ｎへ送信するためのコマンドへ変換するコマンド変換手段２６と、コマンドやパラメータを保存するＤＢ４３を追加したことである。その他の機能は図２と同様なので、同一機能には同一符号を付して説明を省略する。
【００３８】
次に、本実施の形態による運用保守管理装置１の動作を第１の実施の形態との違いを中心に説明する。
【００３９】
作業計画データの入力処理については第１の実施の形態と同様である。以下、運用保守指令処理について説明する。
作業当日に作業指令が端末２ａ〜２ｎから送られてくると、認証手段２４の認証処理され、認証ＯＫになると、作業者は、図５に示すＵＲＬにアクセスする。
【００４０】
このＵＲＬのＷＥＢ画面は、図７に示すように機能ごとに作業ができるようになっている。図７は、テレメータのダウンロード画面である。チャンネル番号を指定して、実行ボタンを押すことによって、ダウンロード処理が開始される。
【００４１】
このダウンロード処理は、具体的には、コマンドＤＢ４３を参照して、実行ボタンに相当するコマンドが抽出される。また、必要によりＷＥＢ画面で入力されたパラメータがコマンドと共に機器へ送信される。
【００４２】
図８は、コマンドＤＢ４３のデータ構成例である。ＩＤ００１の実行ボタンが押されたときのコマンドが対応付けられて保存されている。この実行ボタン押されることによって、コマンド変換手段２６が起動し、コマンドＤＢ４３を参照して実行ボタンのＩＤに対応するコマンドが抽出され、ＷＥＢ画面で入力されたチャンネル番号と共に機器へ送られる。機器は、このコマンドによって、指定されたチャンネル番号のテレメータを返信する。返信されたデータは、運用保守指令入力手段２３を通して、要求元である端末へ送信する。
【００４３】
以上、本実施の形態によれば、ＵＲＬを割り付けられたＷＥＢ画面と機器の解釈可能なコマンドとの関係付けを保存するようにしたので、機器にＵＲＬ割り付ける必要は無く、コマンドしか解釈できない従来の機器に対しても運用保守が可能となる。
【００４４】
一方、作業者は、視認性に優れた画面によって保守運用できるので、作業効率の向上、作業ミスの削減を図ることができる。
【００４５】
本発明は、上述の実施の形態に限定されずに種々変形して実施することができる。たとえば、第２の実施の形態では機器に対するコマンドを運用保守管理装置１で生成して機器へ送るようにしたが、端末から直接コマンドを送信するようにしてもよい。この場合は、端末に画面アプリケーションを搭載し、端末側でコマンドを生成してシリアルインタフェースを介して運用保守管理装置１へ運用保守データを送信する。
【産業上の利用可能性】
【００４６】
本発明は、電力系統のみならず種々のプラントの運用保守に適用することができる。
【図面の簡単な説明】
【００４７】
【図１】本発明の実施の形態による運用保守に係る装置の構成図である。
【図２】本発明の第１の実施の形態による運用保守管理装置の機能ブロック図である。
【図３】本発明の第１の実施の形態の運用保守手順の説明図である。
【図４】図２の作業計画データの構成例である。
【図５】図２の運用保守画面データの説明図である。
【図６】本発明の第２の実施の形態による運用保守管理装置の機能ブロック図である。
【図７】本発明の第２の実施の形態による端末に表示されるテレメータダウンロード画面の説明図である。
【図８】図６のコマンドＤＢの構成例である。
【符号の説明】
【００４８】
１  運用保守管理装置
２、２ａ〜２ｎ  端末
３、３ａ〜３ｎ  機器
４  通信ネットワーク
５  専用回線
６  シリアルインタフェース端末
１１、１２、１３  送受信部
１４  スイッチ手段
１５  ゲート手段
２０  処理部
２１  入出力処理手段
２２  作業計画入力手段
２３  運用保守指令入力手段
２４  認証手段
２５  運用保守指令出力手段
２６  コマンド変換手段
４０  記憶部
４１  作業計画データ
４２  運用保守画面データ
４３  コマンドＤＢ
６１  制御部
６２  給電所
７０  変電所
７１  伝送装置
７２  交換器
７３  テレコン
７４  監視制御装置
７５  配電盤
７６  保護リレー盤
９０  電気データ収集装置
【図２】
2008108022.tif 000003
【図３】
2008108022.tif 000004
【図４】
2008108022.tif 000005
【図５】
2008108022.tif 000006
【図６】
2008108022.tif 000007
【図７】
2008108022.tif 000008
【図８】
2008108022.tif 000009
【図１】
2008108022.tif 000010